【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
レーザー光を照射して情報の記録再生が可能な記録層を有する光記録媒体であって、
前記記録層とは反対側の面に、可視画像が記録される画像記録層を有し、該画像記録層が色素を主成分とし、４５０〜６５０ｎｍの光波長の範囲内に極大吸収を有し、３５０〜４５０ｎｍ、６００〜７００ｎｍ、及び７５０〜８５０ｎｍのうちの少なくともいずれかの波長帯域のレーザー光に対して０．０５以上の吸光度を有することを特徴とする光記録媒体。
【請求項２】
前記画像記録層が、４５０〜６５０ｎｍの光波長の範囲内に極大吸収を有する色素Ａと、３５０〜４５０ｎｍ、６００〜７００ｎｍ、及び７５０〜８５０ｎｍのうちの少なくともいずれかの波長帯域のレーザー光に対して０．０５以上の吸光度を有する色素Ｂとを少なくとも含有することを特徴とする請求項１に記載の光記録媒体。
【請求項３】
前記色素Ａが、シアニン系色素、フタロシアニン系色素、金属錯体系色素、メロシアニン系色素、及びオキソノール系色素からなる群から選択されることを特徴とする請求項２に記載の光記録媒体。
【請求項４】
前記色素Ｂが、シアニン系色素、フタロシアニン系色素、Ｎｉ、Ｃｒなどの金属錯体系色素、メロシアニン系色素、オキソノール系色素、及び紫外線吸収剤からなる群から選択されることを特徴とする請求項２または３に記載の光記録媒体。
【請求項５】
前記色素Ａと色素Ｂが、シアニン色素とシアニン色素、オキソノール系色素とオキソノール系色素、金属錯体系色素と金属錯体系色素、シアニン色素とオキソノール系色素、シアニン色素と金属錯体系色素、シアニン色素とフタロシアニン色素、オキソノール系色素とシアニン色素、オキソノール系色素と金属錯体系色素、又はオキソノール系色素とフタロシアニン色素であることを特徴とする請求項２から４のいずれか１項に記載の光記録媒体。
【請求項６】
前記色素Ａと色素Ｂの含有比（質量比）が９０：１０〜４０：６０であることを特徴とする請求項２から５のいずれか１項に記載の光記録媒体。
【請求項７】
前記画像記録層が、４５０〜６５０ｎｍの光波長の範囲内に極大吸収を有し、かつ３５０〜４５０ｎｍ、６００〜７００ｎｍ、及び７５０〜８５０ｎｍのうちの少なくともいずれかの波長帯域のレーザー光に対して０．０５以上の吸光度を有する色素Ｃを含有することを特徴とする請求項１に記載の光記録媒体。
【請求項８】
レーザー光を照射して情報の記録再生が可能な記録層を有する光記録媒体であって、
前記記録層とは反対側の面に、可視画像が記録される画像記録層を有し、該画像記録層が、可視光領域の光を吸収する色素Ａと、レーザー光を吸収して発熱する色素Ｂとを有し、前記画像記録層へのレーザー光による可視画像記録に際し、レーザー光照射領域では、レーザー光吸収によって発熱する前記色素Ｂにより前記色素Ａが分解して、可視光領域の光吸収が減少し、該可視光領域の光吸収減少に起因するレーザー光照射領域と非照射領域とのコントラストの差により可視画像を形成することを特徴とする光記録媒体。
【請求項９】
基板上に、記録層、反射層、接着層、画像記録層、及びダミー基板を有することを特徴とする請求項１から８のいずれか１項に記載の光記録媒体。
【請求項１０】
請求項１から９のいずれか１項に記載の光記録媒体の画像記録層への画像記録方法であって、
前記画像記録層への可視画像の記録に、前記記録層の記録に用いるレーザー光と同じレーザー光を用いることを特徴とする画像記録方法。 
【手続補正２】
【補正対象書類名】明細書
【補正対象項目名】００１０
【補正方法】変更
【補正の内容】
【００１０】
＜２＞  前記画像記録層が、４５０〜６５０ｎｍの光波長の範囲内に極大吸収を有する色素Ａと、３５０〜４５０ｎｍ、６００〜７００ｎｍ、及び７５０〜８５０ｎｍのうちの少なくともいずれかの波長帯域のレーザー光に対して０．０５以上の吸光度を有する色素Ｂとを少なくとも含有することを特徴とする前記＜１＞に記載の光記録媒体である。
＜３＞  前記色素Ａが、シアニン系色素、フタロシアニン系色素、金属錯体系色素、メロシアニン系色素、及びオキソノール系色素からなる群から選択されることを特徴とする前記＜２＞に記載の光記録媒体である。
＜４＞  前記色素Ｂが、シアニン系色素、フタロシアニン系色素、Ｎｉ、Ｃｒなどの金属錯体系色素、メロシアニン系色素、オキソノール系色素、及び紫外線吸収剤からなる群から選択されることを特徴とする前記＜２＞または＜３＞に記載の光記録媒体である。
＜５＞  前記色素Ａと色素Ｂが、シアニン色素とシアニン色素、オキソノール系色素とオキソノール系色素、金属錯体系色素と金属錯体系色素、シアニン色素とオキソノール系色素、シアニン色素と金属錯体系色素、シアニン色素とフタロシアニン色素、オキソノール系色素とシアニン色素、オキソノール系色素と金属錯体系色素、又はオキソノール系色素とフタロシアニン色素であることを特徴とする前記＜２＞から＜４＞のいずれかに記載の光記録媒体である。
＜６＞  前記色素Ａと色素Ｂの含有比（質量比）が９０：１０〜４０：６０であることを特徴とする前記＜２＞から＜５＞のいずれかに記載の光記録媒体である。
【手続補正３】
【補正対象書類名】明細書
【補正対象項目名】００１１
【補正方法】変更
【補正の内容】
【００１１】
＜７＞  前記画像記録層が、４５０〜６５０ｎｍの光波長の範囲内に極大吸収を有し、かつ３５０〜４５０ｎｍ、６００〜７００ｎｍ、及び７５０〜８５０ｎｍのうちの少なくともいずれかの波長帯域のレーザー光に対して０．０５以上の吸光度を有する色素Ｃを含有することを特徴とする前記＜１＞に記載の光記録媒体である。
＜８＞  レーザー光を照射して情報の記録再生が可能な記録層を有する光記録媒体であって、前記記録層とは反対側の面に、可視画像が記録される画像記録層を有し、該画像記録層が、可視光領域の光を吸収する色素Ａと、レーザー光を吸収して発熱する色素Ｂとを有し、前記画像記録層へのレーザー光による可視画像記録に際し、レーザー光照射領域では、レーザー光吸収によって発熱する前記色素Ｂにより前記色素Ａが分解して、可視光領域の光吸収が減少し、該可視光領域の光吸収減少に起因するレーザー光照射領域と非照射領域とのコントラストの差により可視画像を形成することを特徴とする光記録媒体である。
＜９＞  基板上に、記録層、反射層、接着層、画像記録層、及びダミー基板を有することを特徴とする前記＜１＞から＜８＞のいずれかに記載の光記録媒体である。
【手続補正４】
【補正対象書類名】明細書
【補正対象項目名】００１２
【補正方法】変更
【補正の内容】
【００１２】
＜１０＞  前記＜１＞から＜９＞のいずれかに記載の光記録媒体の画像記録層への画像記録方法であって、前記画像記録層への可視画像の記録に、前記記録層の記録に用いるレーザー光と同じレーザー光を用いることを特徴とする画像記録方法である。
【手続補正５】
【補正対象書類名】明細書
【補正対象項目名】００２５
【補正方法】変更
【補正の内容】
【００２５】
それぞれの記録レーザー波長に適した色素は、例えば、色素共役系の長さを変えることにより得られる。即ち、７５０〜８５０ｎｍのレーザー光で記録する場合、例えば、シアニン色素やメロシアニン系色素ではメチン鎖長が５〜７の色素が好ましく、オキソノール系色素ではメチン鎖長が７〜９の色素が好ましい。
【手続補正６】
【補正対象書類名】明細書
【補正対象項目名】００２６
【補正方法】変更
【補正の内容】
【００２６】
また、６００〜７００ｎｍのレーザー光で記録する場合、例えば、シアニン色素やメロンアニン系色素ではメチン鎖長が３〜５の色素が好ましく、オキソノール系色素では、メチン鎖長が５〜７の色素が好ましい。